(57)【要約】【課題】  自動的に表示画面の画質の調整を行なうことができる表示装置を低コストで提供する。【解決手段】  時計３０と、表示画面の画質調整をする際の画質の調整値と、表示画面の画質を調整値通りに調整する調整時刻とを関連づけして記憶する第１の記憶手段３３と、現在時刻が調整時刻になったときに調整値に基づいて表示画面の画質の調整を行なうように制御する制御手段２４とを具備する。【選択図】        図１
2005242173.tif 000002
【特許請求の範囲】
【請求項１】
時計と、
表示画面の画質調整をする際の画質の調整値と、表示画面の画質を調整値通りに調整する調整時刻とを関連づけして記憶する第１の記憶手段と、
現在時刻が調整時刻になったときに調整値に基づいて表示画面の画質の調整を行なうように制御する制御手段とを具備することを特徴とする表示装置。
【請求項２】
前記調整値および前記調整時刻は、通信回線を通じて接続された他の機器から送信されたものであることを特徴とする請求項１記載の表示装置。
【請求項３】
外部環境を検出可能な外部環境検出センサが設けられ、
外部環境に合わせて表示画面の画質調整をする際の画質の調整値として設定した外部環境調整値を記憶した第２の記憶手段が設けられ、
前記制御手段は、外部環境検出センサが検出した外部環境に該当する外部環境調整値に基づいて表示画面の画質の調整を行なうことを、前記調整値に基づく表示画面の画質の調整と合わせて行なうことを特徴とする請求項１または請求項２記載の表示装置。
【発明の詳細な説明】
【技術分野】
【０００１】
本発明は、コンピュータに接続されて用いられたり、あるいはテレビ受像器として用いられるＬＣＤ（Liquid Crystal Display）、ＰＤＰ（Plasma Display Panel）、ＣＲＴ（Cathode Ray Tube）等の表示装置に関する。
【背景技術】
【０００２】
通常、表示装置には、コントラストや輝度等の画質を調整する画質調整機能が設けられている。表示装置のユーザは、自らコントラストや輝度を調整して見やすい画面にして使用する。
しかし、表示装置が外光を受ける場所に設置されているような場合、その日の天気や日周運動に伴う外光の向きの変化に伴い、ユーザがせっかく画質を調整したとしても表示装置の表示画面が見にくくなってくる場合がある。
かかる場合、外光の状態が変化する都度、ユーザがコントラストや輝度等の画質を調整する必要があり、手間がかかっていると言う問題があった。
【０００３】
そこで上述したような問題を解決すべく、表示装置に外光の変化を検出するセンサを設け、センサが検出した外光の変化に基づいて自動的にコントラストや輝度等の画質を調整するという構成が提案されている（例えば、特許文献１または特許文献２参照）。
【０００４】
【特許文献１】特開２００１−１４２４４６号公報
【特許文献２】特開２００１−２６５３０７号公報
【発明の開示】
【発明が解決しようとする課題】
【０００５】
上述したようなセンサを設けた表示装置によれば、外部環境を検出してこれに基づいて自動的にコントラストや輝度等の画質を調整するので、外光を受ける場所に設置した場合であっても、外光の変化に伴ってユーザ自らがその都度画質を調整をしなくともよく、ユーザの手間を省くという目的は達成しうる。
しかし、このような表示装置は、外部環境を検出するために高額なセンサを組込む必要があるので、表示装置全体が高価なものとなってしまうという課題がある。
【０００６】
したがって、本発明の目的は、自動的に表示画面の画質の調整を行なうことができる表示装置を低コストで提供することにある。
【課題を解決するための手段】
【０００７】
本発明にかかる表示装置によれば、時計と、表示画面の画質調整をする際の画質の調整値と、表示画面の画質を調整値通りに調整する調整時刻とを関連づけして記憶する第１の記憶手段と、現在時刻が調整時刻になったときに調整値に基づいて表示画面の画質の調整を行なうように制御する制御手段とを具備することを特徴としている。
この構成を採用することによって、センサ等の高額な部品を用いずに、外光の変化や使用環境に合わせて、ユーザが使用しやすい表示画面となるように、表示画面の画質調整を時刻に基づいて自動的に行なうことができるようになる。
【０００８】
また、前記調整値および前記調整時刻は、通信回線を通じて接続された他の機器から送信されたものであることを特徴としてもよい。
この構成によれば、表示装置自体でユーザが細かく調整値等を設定をしなくともよいと言う利点がある。すなわち、例えばユーザが調整値を入力するためのスイッチ等のハードウェアや、調整値を入力する際に画面に指示表示等を表示させるソフトウェアなどを表示装置に搭載する必要が無くなるので、表示装置のコンパクト化やコストダウンを図れる。また、例えばインターネット上に調整値等を記憶したサーバコンピュータを設けておけばサーバコンピュータ側で、調整値等を補正したりするなどの細かいデータの管理ができる。このため、よりきめ細かい表示画面の画質の調整ができる。
【０００９】
さらに、外部環境を検出可能な外部環境検出センサが設けられ、外部環境に合わせて表示画面の画質調整をする際の画質の調整値として設定した外部環境調整値を記憶した第２の記憶手段が設けられ、前記制御手段は、外部環境検出センサが検出した外部環境に該当する外部環境調整値に基づいて表示画面の画質の調整を行なうことを、前記調整値に基づく表示画面の画質の調整と合わせて行なうことを特徴としてもよい。
この構成によれば、センサを設けた分高価にはなるものの、時刻に基づく調整だけでは対応しきれない外光の変化があっても確実に対応し、表示画面の画質の調整を的確に行なうことができる。
【発明の効果】
【００１０】
本発明の表示装置によれば、表示画面の画質を最適な状態にする自動調整を、安価な構成で実現することができる。
また、表示装置がバックライトを有するＰＤＰやＬＣＤである場合には、明らかにバックライトの必要ではない時刻にはバックライトを消灯させる設定も可能であるので、省電力にも寄与することができる。
【発明を実施するための最良の形態】
【００１１】
表示装置として、ＬＣＤを用いる。ＬＣＤ内には時計が設けられており、ユーザがコントラストや輝度等の画質を調整した場合には、その画質調整を行なった調整時刻と、その調整内容とが記憶される。
制御手段は、時計の現在時刻が、以前に調整を設定した調整時刻になった場合には、その時刻にした調整内容と同様の画質調整を行なうように、液晶モジュール等を制御する。
【実施例１】
【００１２】
本発明の表示装置の実施例を図１に示す。
本実施例の表示装置２０は、ＬＣＤであり、図示しないコンピュータに接続され、コンピュータから入力される画像信号を表示させる液晶モジュール２２を具備している。
液晶モジュール２２は、駆動部２５と、ガラス基板に電極や配向膜等が配置された液晶パネル２３と、液晶パネル２３の背面側に配置されて光源としての役割を有しバックライト電源回路２８によって駆動するバックライト２６とを有している。
【００１３】
表示装置２０には、液晶モジュール２２に表示される表示画像の輝度やコントラスト等の画質を自動的に調整する機能を有するＣＰＵ（特許請求の範囲でいう制御手段の一例）２４が設けられている。
本実施例におけるＣＰＵ２４は、表示画像の輝度を調整する場合には、バックライト２６の明度を調整することによって行なう。そこで、ＣＰＵ２４は、液晶モジュール２２に設けられているバックライト２６の、点灯、消灯、減光または増光等の調光を行なえるように、バックライト電源回路２８の制御を行なうバックライト制御信号Ａを出力し、バックライト２６のバックライト電源回路２８を制御する。
また、ＣＰＵ２４は、コントラスト制御信号Ｂを液晶モジュール２２の駆動部２５に出力し、表示画面のコントラストを調整することができる。
【００１４】
表示装置２０には、ＣＰＵ２４が現在時刻を判定できるように時計３０が設けられている。
また、表示装置２０には、ユーザが液晶モジュール２２に表示される表示画面のコントラストや輝度等の画質を調整するためのスイッチである操作部３２が設けられている。
ＣＰＵ２４には、ユーザが操作部３２によって画質調整した際の値である調整値と、画質がかかる調整値になるように調整した調整時刻とを記憶する記憶装置３３が設けられている。記憶装置３３としてはＣＰＵ２４内部のメモリ領域であってもよいし、ＲＯＭ、ＲＡＭ等の半導体メモリであってもよい。
【００１５】
以下、本実施例１の動作について、例を挙げて説明する。
例えば、西日が強くなったので、ユーザが、操作部３２を操作して１６時に輝度を上げたとする。すると、ＣＰＵ２４は、上げた輝度の値を調整値１、上げた時刻である１６時を調整時刻１として、記憶装置３３に記憶する。ここで輝度の値とは、標準設定された輝度に対して何段階上昇させたかという値でもよいし、あるいは段階的ではなく無段階で上昇させた場合に標準設定された輝度に対してどの程度上昇させたかという値であってもよい。
【００１６】
さらに、ユーザが、１８時になると西日の影響も無くなったので輝度を元に戻すように操作部３２を介して調整をしたとする。すると、元に戻した輝度の値を調整値２、元に戻した時刻である１８時を調整時刻２として記憶装置に記憶する。ここでは、輝度を元に戻すようにしているので、調整値２とは具体的には標準設定された輝度である。
【００１７】
翌日以降、表示装置２０のＣＰＵ２４は、時計３０が示す現在時刻が、記憶装置３３内に記憶された調整時刻になったときに、その調整時刻にした内容の調整を自動的に行なうように制御する。
上述した例では、ＣＰＵ２４は、調整時刻１である１６時になったとき、調整値１と同じ輝度となるようにバックライト制御信号Ａを出力して調整する。その後、調整時刻２である１８時になったときには調整値２と同じ輝度となるようにバックライト制御信号Ａを出力して調整する。
【００１８】
以下、他の動作の例についても説明する。この例は、外光の影響ではなく、ユーザの使用環境に基づく動作である。
例えば、表示装置を工場内等で使用している場合、業務時間以外は表示装置を使用する必要性が無い場合には、バックライトをオフにして輝度を下げるという設定をすることができる。
【００１９】
ユーザが、朝9時に始業、１2時から１３時まで昼休み、１７時が終業である工場等において使用している場合について説明する。
ユーザは、朝９時前に表示装置の電源を入れるが、朝9時までは表示装置としては使用しないように、輝度が下げられている（バックライト２６が消灯されている）。９時になると、ＣＰＵ２４はバックライト制御信号Ａを出力してバックライト２６を点灯させ、画面が通常使用時の輝度となるように調整する。
１２時になると、ＣＰＵ２４はバックライト制御信号Ａを出力してバックライト２６を消灯し、ユーザが使用できないように画面の輝度を調整する。
そして１３時になると、ＣＰＵ２４はバックライト制御信号Ａを出力してバックライト２６を点灯させ、画面が通常使用時の輝度となるように調整する。
さらに、１７時になると、ＣＰＵ２４はバックライト制御信号Ａを出力してバックライト２６を消灯し、ユーザが使用できないように画面の輝度を調整する。
このように、外光の影響ではなく、ユーザの使用環境に基づく制御も可能となる。
【００２０】
なお、本実施例では、調整値および調整時刻は、ユーザが実際に調整した値と時刻とを記憶しておき、翌日以降にも同じ調整を同じ時刻で行なう場合についてのみを説明した。
しかし、本発明については、ユーザが実際にその時刻に調整した内容を記憶することだけに限定するものではなく、調整すべき内容と、そのような調整をすべき時刻とを入力できるようにスイッチ等の入力手段を設けてもよい。
【実施例２】
【００２１】
次に、実施例２の構成について説明する。なお、上述した実施例と同一の構成については同一の符号を付し、説明を省略する。
本実施例では、上述した実施例とは異なり、表示装置の外部機器に調整時刻と調整値とを関連付けして記憶させておき、そこから調整時刻と調整値とを受信して適用させる構成となっている。
【００２２】
本実施例の表示装置２０は、ＬＣＤであって、コンピュータ４０に接続されているものである。
表示装置２０には、コンピュータ４０と通信をする通信装置３６（インターフェイス部）が設けられており、コンピュータ４０から画像データ以外のデータである、表示画面の画質の調整値および調整時刻がデータとして送信されてくる。
コンピュータ４０から送信されてきた調整値と調整時刻は、記憶装置３３内に記憶される。
【００２３】
コンピュータ４０はインターネット４１等の通信回線を介して、インターネット４１に接続されているサーバコンピュータ４２とデータの授受を実行することができる。
サーバコンピュータ４２には、表示装置２０用の調整値および調整時刻が記憶された記憶装置４４が設けられている。記憶装置４４としては、ハードディスクドライブまたは半導体メモリを採用することができる。
なお、サーバコンピュータ４２内には、表示装置２０用だけではなく他の表示装置用の画質の調整値および調整時刻も記憶されている。
【００２４】
サーバコンピュータ４２には、記憶されている調整値と調整時刻とを、表示装置２０が設置されている場所における季節の変化や天候の変化に合わせて補正する補正手段４６が設けられている。補正手段４６は、サーバコンピュータ４２内のＣＰＵ（図示せず）が、制御プログラムに基づいて動作することによって実現される。
【００２５】
本実施例の動作について説明する。
まず、ユーザは、サーバコンピュータ４２に対して、使用状況に基づく調整値と調整時刻の設定をしておくことが必要である。なお、サーバコンピュータ４２は、本表示装置２０の製造・販売メーカ等が管理運用するものであるとする。
サーバコンピュータ４２の管理運用者は、ユーザが提示した使用状況に基づいて、調整値と調整時刻を設定し、サーバコンピュータ４２内の記憶装置４４にユーザがアクセスしたときには送信可能となるように記憶させておく。
【００２６】
例として、ユーザが、１６時から１８時までの間は西日が当たる場所で使用するものであって、且つ昼休みの１２時〜１３時までは輝度を下げておく必要があるとした場合、ユーザはその旨をサーバコンピュータ４２の管理運用者に予め提示しておく。
サーバコンピュータ４２の管理運用者は、提示された条件で輝度やコントラストを調整した調整値１〜４と、調整時刻１〜４とを設定し、サーバコンピュータ４２の記憶装置４４に記憶しておく。
【００２７】
一方、表示装置２０が接続されているコンピュータ４０には、サーバコンピュータ４２に対して定期的に接続可能な接続手段４５と、サーバコンピュータ４２から調整値や調整時刻等のデータをダウンロードするダウンロード手段４７が搭載されている。この接続手段４５によって、コンピュータ４０は、例えば1日に1回は少なくともサーバコンピュータ４２にアクセスし、更新された調整値や調整時刻が存在した場合には、それらをダウンロード手段４７がダウンロードする。
コンピュータ４０がダウンロードした調整値１〜４およびその調整時刻１〜４は、表示装置２０に送信され、表示装置２０の記憶装置３３内に記憶される。
【００２８】
表示装置２０のＣＰＵ２４は、時計３０が示す現在時刻が、記憶装置３３内に記憶された調整時刻になったときに、その調整時刻にした内容の調整を自動的に行なうように制御する。
上記の例では、調整時刻１である１２時になったときに、ＣＰＵ２４は表示画面の画質が調整値１となるようにバックライト制御信号Ａを出力し、バックライト２６を消灯させる。
次に、調整時刻２である１３時になったときに、ＣＰＵ２４は表示画面の画質が調整値２となるようにバックライト制御信号Ａを出力し、バックライト２６を点灯させる。
【００２９】
さらに、調整時刻３である１６時になったときに、ＣＰＵ２４は表示画面の画質が調整値３となるようにバックライト制御信号Ａを出力して、バックライト２６を増光して輝度を上げる調整を行なう。
そして、調整時刻４である１８時になったときに、ＣＰＵ２４は表示画面の画質が調整値４となるようにバックライト制御信号Ａを出力して、バックライト２６を減光して輝度を下げる調整を行なう。
【００３０】
次に、本実施例２において、サーバコンピュータ４２の補正手段４６の動作について説明する。補正手段４６は、上述したように記憶装置４４内の調整値と調整時刻とを適正な値に補正する機能を有する。
季節に基づく補正としては、冬と夏とでは外光の強度が全く異なるので、例えば夏の間に設定して記憶されている調整値に対して、冬になったら所定の係数をかけ合わせて輝度の変化が大きくならないようにする例を挙げることができる。
また、冬と夏とでは日照時間も大きく異なるので、夏の間に設定して記憶されている調整時刻を冬では時刻を繰り上げる等の補正をすることができる。
【００３１】
天候に基づく補正としては、サーバコンピュータ４２が該当ユーザの地域の現在の天候を自動的に検索することが考えられる。
例えば、検索の結果、天候が悪い場合には外光を原因として輝度を大きく下げる必要性も無いであろうから、この場合には、調整値に所定の係数をかけ合わせて輝度の変化が大きくならないようにすることができる。
【実施例３】
【００３２】
本実施例は、実施例１の構成に外部環境を検出するセンサを組み合わせた点が特徴となっている。なお、上述した各実施例と同一の構成については同一の符号を付し、説明を省略する場合もある。
本実施例のセンサ５０としては、光の強度を検出できる照度センサを用いる。照度センサとしては、光の強度変化を抵抗値の変化として検出可能なＣｄＳセル等の光導電セルが挙げられる。
【００３３】
ＣＰＵ２４には、センサ５０が検出した外部環境に基づいて自動的に表示画面の画質調整をするための外部環境調整値（図面内では単に調整値と記載している）が記憶された記憶装置５２が接続されている。記憶装置５２としては、時刻に基づく調整値が記憶されている記憶装置３３と同一のものであってもよい。
【００３４】
本実施例の動作について説明する。
本実施例では、ＣＰＵ２４は記憶装置３３内に記憶されている調整値および調整時刻に基づいて表示画面を調整する以外に、センサ５０によって検出された外部環境の変化によっても表示画面の画質を自動調整する。
例えば、実施例１のように、ＣＰＵ２４は、調整時刻１である１６時になったとき、画質が調整値１となるようにバックライト制御信号Ａを出力する。その後、調整時刻２である１８時になったときには画質が調整値２となるようにバックライト制御信号Ａを出力する。
【００３５】
そして、ＣＰＵ２４は、センサ５０が、外光が予め決められた強度よりも強くなったことを検出した場合、記憶装置５２に記憶されている調整値ａに基づき、バックライト制御信号Ａを出力することによって現在の輝度よりも輝度を上げ、外光の変化に対応する。この外部環境の変化に基づく調整は、時刻による調整の有無にかかわらず、適宜実行するとよい。
その後、ＣＰＵ２４は、センサ５０が、外光が元の強度に戻ったことを検出した場合、記憶装置５２に記憶されている調整値ｂに基づき、バックライト制御信号Ａを出力することによって現在の輝度よりも輝度を下げる。
【００３６】
なお、実施例３におけるセンサとしては、照度センサについてのみを説明したが、センサの種類としては、これに限定されるものではない。
例えば、温度センサを組込むことによって、温度低下や温度上昇に合わせて表示画面の
調整を可能とすることもできる。また人感センサを組込むことによって、ユーザが表示装置の前に座って操作を開始しようとしたときに、バックライトが点灯し、ユーザが表示装置の前から離れたときにバックライトを消灯するようにすれば、無駄なバックライトの点灯を防止し、電気代の節約になる。
さらに、位置センサ（ＧＰＳ）等で、表示装置が配置されている場所を特定することによって、その場所に合わせた設定をすることも可能である。例えば、冬であっても東北地方と沖縄とでは当然に外光の強度が異なってくるので、東北地方では輝度を上げるように調整し、沖縄では輝度を下げるように調整することができる。
【産業上の利用可能性】
【００３７】
本発明の表示装置としては、個人ユーザ向けだけでなく、上述した実施例のように例えば工場内等で使用する法人ユーザ向けに利用できるので、企業にとっては電気代等の節約によるコストダウンと共に消費エネルギーの削減を達成することもできる。
【００３８】
なお、上述した各実施例では表示装置としてＬＣＤについてのみ説明してきたが、表示装置としてはＰＤＰやＣＲＴであってもよい。
また、画質の調整項目としては、コントラストと輝度についてのみ説明してきたが、この項目だけを調整する場合に限られることはなく、色相や彩度等様々な調整項目を対象とすることができる。
【００３９】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００４０】
【図１】実施例１の構成を説明する説明図である。
【図２】実施例２の構成を説明する説明図である。
【図３】実施例３の構成を説明する説明図である。
【符号の説明】
【００４１】
２０   表示装置
２２   液晶モジュール
２３   液晶パネル
２５   駆動部
２６   バックライト
２８   バックライト電源回路
３０   時計
３２   操作部
３３，４４，５２   記憶装置
３６   通信装置
４０   コンピュータ
４１   インターネット
４２   サーバコンピュータ
４５   接続手段
４６   補正手段
４７   ダウンロード手段
５０   センサ
Ａ     バックライト制御信号
Ｂ     コントラスト制御信号                                                            
【図１】
2005242173.tif 000003
【図２】
2005242173.tif 000004
【図３】
2005242173.tif 000005